(57)【要約】【課題】パネル面に多数配設されたパネル電極の屋内配線との接続を、給電を必要とするパネル面上の電気製品からの給電指令信号により達成し、もって漏電や短絡事故さらには感電の恐れのない、高い安全性を発揮するコードレス電力供給パネルを提供することを目的とする。【解決手段】  パネル１のパネル面３に、多数のパネル電極４を繰り返し配列し、パネル電極４の隣り合った一方電極４ａと他方電極４ｂとを、給電指令信号に従って、スイッチ切替え動作を行うセレクタ５を介して、屋内配線１４に、反対極性で断続可能に接続し、必要時にだけ一方電極４ａと他方電極４ｂとを屋内配線１４に接続するようにして、電気的安全性を得る。【選択図】図７
2007006586.tif 000002
【特許請求の範囲】
【請求項１】
パネル（１）のパネル面（３）に、多数のパネル電極（４）を一定のルールに基づいて繰り返し配列し、該多数のパネル電極（４）を二つのグループに分け、前記隣り合ったパネル電極（４）は、互いに他のグループに含まれるようにし、前記パネル電極（４）に対する給電対象物である給電体（１８）の接近もしくは接触を知らせる給電指令信号に基づいて切替え指令信号を出力する検出体（１１）と、該検出体（１１）からの切替え指令信号を解読して、スイッチ部（７）でスイッチ切替え動作を行うセレクタ（５）とを設け、前記パネル電極（４）の、一方のグループに含まれる一方電極（４ａ）を、前記スイッチ部（７）の第１スイッチ（８）を介して、屋内配線（１４）の一方の極性の配線に断続可能に接続し、前記パネル電極（４）の、他方のグループに含まれる他方電極（４ｂ）を、前記スイッチ部（７）の第２スイッチ（９）を介して、前記屋内配線（１４）の他方の極性の配線に断続可能に接続したことを特徴とするコードレス電力供給パネル。
【請求項２】
屋内配線（１４）の一方の極性の配線を、第１交流電力線（１５ａ）とし、前記屋内配線（１４）の他方の極性の配線を、第２交流電力線（１５ｂ）とした請求項１記載のコードレス電力供給パネル。
【請求項３】
屋内配線（１４）の一方の極性の配線を、直流電力線（１５ｃ）とし、前記屋内配線（１４）の他方の極性の配線を、グランド線（１６）とした請求項１記載のコードレス電力供給パネル。
【請求項４】
屋内配線（１４）の一方の極性の配線を、第１交流電力線（１５ａ）と直流電力線（１５ｃ）とし、前記屋内配線（１４）の他方の極性の配線を、第２交流電力線（１５ｂ）とグランド線（１６）した請求項１記載のコードレス電力供給パネル。
【請求項５】
多数のパネル電極（４）を、正方形の各頂点に位置させて、繰り返し配列した請求項１〜４のいずれか1項に記載のコードレス電力供給パネル。
【請求項６】
多数のパネル電極（４）を、長方形の各頂点に位置させて、繰り返し配列した請求項１〜４のいずれか1項に記載のコードレス電力供給パネル。
【請求項７】
多数のパネル電極（４）を、ひし形の各頂点に位置させて、繰り返し配列した請求項１〜４のいずれか1項に記載のコードレス電力供給パネル。
【請求項８】
多数のパネル電極（４）を、正六角形の各頂点に位置させて、繰り返し配列した請求項１〜４のいずれか1項に記載のコードレス電力供給パネル。
【請求項９】
セレクタ（５）を、切替え指令信号を解読する解読部（６）と、該解読部（６）からの解読信号に従って、一方電極（４ａ）を、屋内配線（１４）の一方の極性の配線に切替え接続する第１スイッチ（８）と、他方電極（４ｂ）を、屋内配線（１４）の他方の極性の配線に切替え接続する第２スイッチ（９）とを有するスイッチ部（７）と、から構成した請求項１〜８のいずれか１項に記載のコードレス電力供給パネル。
【請求項１０】
セレクタ（５）のスイッチ部（７）の第１スイッチ（８）および第２スイッチ（９）に、オープン端子への切替え接点を設けた請求項１〜９のいずれか１項に記載のコードレス電力供給パネル。
【請求項１１】
検出体（１１）を、給電体（１８）からの給電指令信号を検出する検出部（１２）と、該検出部（１２）で検出した給電指令信号を解析して、切替え指令信号を出力する解析部（１３）とから構成した請求項１〜１０のいずれか１項に記載のコードレス電力供給パネル。
【請求項１２】
隣り合っている所望数のパネル電極（４）の集まりを区画してパネルユニット（２）とし、該パネルユニット（２）の全てのパネル電極（４）を一つのセレクタ（５）に共通接続した請求項１〜１１のいずれか１項に記載のコードレス電力供給パネル。
【請求項１３】
パネル電極（４）の配列方向の数を、等しい偶数値とした請求項１２記載のコードレス電力供給パネル。
【発明の詳細な説明】
【技術分野】
【０００１】
本発明は、パネル面に接触位置した電気製品に対して、コードレスに電力を供給することを可能とした、コードレス電力供給パネルに関するものである。
【背景技術】
【０００２】
テレビ、パソコン等の家庭電化製品である給電体への電力の供給は、壁に設けたコンセントと給電体とをケーブルで接続することにより達成されるが、このため給電体の移動できる範囲は、このケーブルの長さで制限されてしまい、フレキシブルに模様替えを行うことができず、かつ給電体に必ず付帯するケーブルが、時として取扱いおよび外観体裁の邪魔となる、と云う不満があった。
【０００３】
また、ロボット、各種可動台車、自動掃除機等の移動給電体は、搭載した重くかつ嵩張るバッテリーを電源として作動するため、その小型化、軽量化に、満足し得ない限界がある、と云う不満があった。
【０００４】
この不満を解消するものとして、床面に、多数の電極板を所定間隔にて配設すると共に、この電極板の各々を交互に極性を変えて電源に接続し、床面等の面上の給電体に、相互に絶縁された複数の電極子を設け、この電極子は、一部の電極子が一方の極性の電極板に接触し、同時に他の一部の電極子が他方の極性の電極板に接触可能に配置し、１つの電極子が極性を異にする２枚の電極板に同時に接触しないように、電極板相互の間隔を電極子の接触範囲より大きく設けて構成して、面上の給電体に、ワイヤレスで電力を供給することのできる技術が特公平２−１６０９０号公報として開示されている。
【０００５】
この特公平２−１６０９０号公報に開示された技術にあっては、床面に配設された多数の電極板は、電源に接続された状態のままであるので、目的とする給電体とは別の床面上の物品により、漏電や短絡事故の発生する恐れがあるだけではなく、そのままでは人が感電する危険があるので、一般の家庭やオフィスで使用することはできない、と云う不都合があった。
【０００６】
本件出願人は、上記した不都合を解消するものとして、床面に多数配設された各電極板（床電極）を、セレクタを介して屋内配線に接続し、このセレクタを、給電を必要とする床面上の給電体からの給電要求信号に従って、断続切替え接続するものとし、もって漏電や短絡事故さらには感電の恐れのない、高い安全性を発揮する電力供給床に関する技術を提案した。
【特許文献１】特願２００３−４０６０６２号
【発明の開示】
【発明が解決しようとする課題】
【０００７】
しかしながら、上記した従来技術にあっては、断続切替え機能を有するセレクタを、各床電極毎に接続組付けしなければならないので、必要とするセレクタの数が膨大なものとなり、セレクタに要する経費が、きわめて大きくなる、と云う不満がある。
【０００８】
特に、各種の床面上の給電体に対する、汎用性に富んだ給電動作を得ることができるようにすること、および床電極の金属感が強く現れることによる、床面外観体裁の劣悪化を防止することを達成する手段として、床面に露出する床電極の大きさをできる限り小さくした状態で、できるだけ多数の床電極を設けるのが有効な手段なのであるが、上記したセレクタに関する経費の問題は、この有効な手段を実施するのに、大きな弊害となる。
【０００９】
そこで、本発明は、上記した従来技術における問題点を解消すべく創案されたもので、使用されるセレクタの数を、床面等の表面に位置した電極の半数以下とすることを技術的課題とし、もって漏電や短絡事故さらには感電の恐れのない、高い安全性を保ったまま、セレクタに要する経費の大幅な低減を達成することを目的とする。
【課題を解決するための手段】
【００１０】
上記技術的課題を解決する本発明の内、請求項１記載の発明の構成は、
パネルのパネル面に、多数のパネル電極を、一定のルールに基づいて、繰り返し配列すること、
この多数のパネル電極を二つのグループに分けること、
隣り合ったパネル電極は、互いに他のグループに含まれるようにすること、
パネル電極に対する給電対象物である給電体の接近もしくは接触を知らせる、給電指令信号に基づいて、切替え指令信号を出力する検出体と、この検出体からの切替え指令信号を解読して、スイッチ部でスイッチ切替え動作を行うセレクタとを設けること、
パネル電極の、一方のグループに含まれる一方電極を、セレクタのスイッチ部の第１スイッチを介して、屋内配線の一方の極性の配線に断続可能に接続すること、
パネル電極の、他方のグループに含まれる他方電極を、セレクタのスイッチ部の第２スイッチを介して、屋内配線の他方の極性の配線に断続可能に接続すること、
にある。
【００１１】
この請求項１記載の発明においては、パネル電極の一方電極は、給電体からの給電指令信号を検出体が受信しない限り、屋内配線の一方の極性の配線に接続されていない状態となっており、同じく、パネル電極の他方方電極も、給電体からの給電指令信号を検出体が受信しない限り、屋内配線の他方の極性の配線に接続されていない状態となっているので、給電体以外の物品がパネル面に置かれてパネル電極に接触したとしても、漏電および短絡を引き起こすことはなく、同様に、人が、一方電極と他方電極とに同時に接触しても、感電することは全くない。
【００１２】
パネル電極の一方電極と他方電極とは、一定のルールに基づいて、間隔を空けて隣り合っているので、給電体の一対の給電電極を、隣り合った一対のパネル電極に、一対一の関係で接触させることにより、給電体は、必ず電力供給を受けることができることになる。
【００１３】
この際、給電体の一対の給電電極に接触した、隣り合った一対のパネル電極に接続されているセレクタは、給電体からの給電指令信号を受信した検出体からの切替え指令信号に従って、そのスイッチ部の第１スイッチと第２スイッチを、指令された接続状態に切替え設定する。
【００１４】
これにより、セレクタは、切替え指令信号に従って、第１スイッチと第２スイッチを、屋内配線の反対の極性の配線に接続することになる。
【００１５】
一つのセレクタは、少なくとも一対の一方電極と他方電極とが、一緒に接続されるので、セレクタを各パネル電極に、個々に接続する場合に比べて、その使用数は、確実に半減することになる。
【００１６】
請求項2記載の発明は、請求項１記載の発明の構成に、屋内配線の一方の極性の配線を、第１交流電力線とし、屋内配線の他方の極性の配線を、第２交流電力線としたこと、を加えたものである。
【００１７】
この請求項２記載の発明においては、屋内配線として交流ラインを利用することができる。
【００１８】
請求項３記載の発明は、請求項１記載の発明の構成に、屋内配線の一方の極性の配線を、直流電力線とし、屋内配線の他方の極性の配線を、グランド線としたこと、を加えたものである。
【００１９】
この請求項３記載の発明においては、屋内配線として直流ラインを利用することができる。
【００２０】
請求項４記載の発明は、請求項１記載の発明の構成に、屋内配線の一方の極性の配線を、第１交流電力線と直流電力線とし、屋内配線の他方の極性の配線を、第２交流電力線とグランド線としたこと、を加えたものである。
【００２１】
この請求項４記載の発明においては、屋内配線として、交流ラインと直流ラインとの両方を利用することができる。
【００２２】
請求項５記載の発明は、請求項１〜４のいずれか１項に記載の発明の構成に、多数のパネル電極を、正方形の各頂点に位置させて、繰り返し配列したこと、を加えたものである。
【００２３】
この請求項５記載の発明においては、多数のパネル電極の配列設定が容易であると共に、パネル面における、多数のパネル電極の分布が、確実に均等となる。
【００２４】
請求項６記載の発明は、請求項１〜４のいずれか１項に記載の発明の構成に、多数のパネル電極を、長方形の各頂点に位置させて、繰り返し配列したこと、を加えたものである。
【００２５】
この請求項６記載の発明においては、多数のパネル電極の配列設定が容易であると共に、等しい間隔でのパネル電極の繰返しが得られる方向が特定されるので、パネル面における給電体の姿勢、配列方向、さらには移動方向が特定されることになる。
【００２６】
請求項７記載の発明は、請求項１〜４のいずれか１項に記載の発明の構成に、多数のパネル電極を、ひし形の各頂点に位置させて、繰り返し配列したこと、を加えたものである。
【００２７】
この請求項７記載の発明においては、多数のパネル電極の配列設定が容易であり、また隣り合うパネル電極をつなぐ形態の壁片と、ひし形の短い対角線に沿った壁片との組合せによるコア材を、パネル形成材料とすることにより、少ない材料量で、機械的強度に優れたパネルを得ることが可能となる。
【００２８】
請求項８記載の発明は、請求項１〜４のいずれか１項に記載の発明の構成に、多数のパネル電極を、正六角形の各頂点に位置させて、繰り返し配列したこと、を加えたものである。
【００２９】
この請求項８記載の発明においては、隣り合ったパネル電極の間隔を一定とした条件下で、均等分布されるパネル電極の数を少なくすることができ、また各パネル電極を頂点に位置させた正六角形でハニカムコア材を構成し、このハニカムコア材をパネル形成材料とすることにより、少ない材料量で、機械的強度に優れたパネルを得ることが可能となる。
【００３０】
請求項９記載の発明は、請求項１〜８のいずれか１項に記載の発明の構成に、セレクタを、切替え指令信号を解読する解読部と、この解読部からの解読信号に従って、一方電極を、屋内配線の一方の極性の配線に切替え接続する第１スイッチと、他方電極を、屋内配線の他方の極性の配線に切替え接続する第２スイッチとを有するスイッチ部と、から構成したこと、を加えたものである。
【００３１】
この請求項９記載の発明においては、解読部からの解読信号に従った、第１スイッチおよび第２スイッチの切替え接続状態が、予め決められたものとなっているので、セレクタによるパネル電極の屋内配線への断続が、安定して正確に行われることになる。
【００３２】
請求項１０記載の発明は、請求項１〜９のいずれか１項に記載の発明の構成に、セレクタのスイッチ部の第１スイッチおよび第２スイッチにオープン端子への切替え接点を設けたこと、を加えたものである。
【００３３】
この請求項１０記載の発明においては、特に第１スイッチに、グランド線への接続構造を設けないで済む。
【００３４】
請求項１１記載の発明は、請求項１〜１０のいずれか１項に記載の発明の構成に、検出体を、給電体からの給電指令信号を検出する検出部と、この検出部で検出した給電指令信号を解析して、切替え指令信号を出力する解析部とから構成したこと、を加えたものである。
【００３５】
この請求項１１記載の発明においては、検出部で検出した給電指令信号を、解析部で解析して切替え指令信号とするので、給電指令信号として、広い範囲の信号を取扱い対象とすることが可能となる。
【００３６】
請求項１２記載の発明は、請求項１〜１１のいずれか１項に記載の発明の構成に、隣り合っている所望数のパネル電極の集まりを区画してパネルユニットとし、このパネルユニットの全てのパネル電極を一つのセレクタに共通接続したこと、を加えたものである。
【００３７】
この請求項１２記載の発明においては、複数のパネル電極を一つのセレクタに共通接続させるので、パネル全体で使用されるセレクタの数が大幅に少なくなる。
【００３８】
請求項１３記載の発明は、請求項１２記載の発明の構成に、パネル電極の配列方向の数を、等しい偶数値としたこと、を加えたものである。
【００３９】
この請求項１３記載の発明においては、配列方向のパネル電極の、隣り合った一方が一方電極であり、他方が他方電極であるので、配列方向に沿った一方電極と他方電極との配列は、偶数個毎に繰り返されることになり、このためパネル電極の配列方向の数を、等しい偶数値としてパネルユニットを構成すると、各パネルユニットは、全く同じ構造となることが可能となる。
【発明の効果】
【００４０】
本発明は、上記した構成としたので、以下に示す効果を奏する。
請求項1記載の発明にあっては、パネル電極は、給電体からの給電指令信号の受信がない限り、屋内配線の電力線に接続されていない状態となっているので、給電体以外の物品および人が、パネル電極に接触したとしても、漏電、短絡さらには感電事故を引き起こす恐れは全くなく、きわめて高い安全性を発揮することができる。
【００４１】
パネル電極の一方電極と他方電極とは、間隔を空けて隣り合っているので、給電体の一対の受電電極を、隣り合った一対のパネル電極に、一対一の関係で接触させることにより、給電体は、必ず電力供給を受けることができ、給電体に対する簡単で確実な電力供給を達成することができる。
【００４２】
セレクタの数を、セレクタを各パネル電極に接続する場合に比べて、確実に半減させることができるので、その分、セレクタに要する経費を半減させることができ、もってパネルの製造価格を大幅に低減させることができる。
【００４３】
請求項２記載の発明にあっては、屋内配線として交流ラインを利用することができる。
【００４４】
請求項３記載の発明にあっては、屋内配線として直流ラインを利用することができる。
【００４５】
請求項４記載の発明にあっては、屋内配線として、交流ラインと直流ラインとの両方を利用することができる。
【００４６】
請求項５記載の発明にあっては、パネル面に、多数のパネル電極を、均等に分布させたパネルを、簡単にかつ確実に製造することができる。
【００４７】
請求項６記載の発明にあっては、パネル電極の配列設定が容易であると共に、パネル面における給電体の状態に、一定した方向付けを与えることができ、その分、パネル面上の給電体の取扱いが容易となる。
【００４８】
請求項７記載の発明にあっては、パネルの製造が容易であると共に、機械的強度に優れたパネルを製造することが可能となる。
【００４９】
請求項８記載の発明にあっては、パネル電極を一定間隔で配置した構成を保ちながら、使用されるパネル電極の数を少なくすることができるので、パネルの製造経費を充分に低減させることができると共に、機械的強度に優れたパネルを製造することが可能となる。
【００５０】
請求項９記載の発明にあっては、セレクタによるパネル電極の屋内配線への断続を、安定して正確に行なうことができるので、給電体に対する電力の供給を、確実にそして安全に行なうことができる。
【００５１】
請求項１０記載の発明にあっては、セレクタのグランド線に対する接続を、必要に応じて非接続とすることにより、パネル全体の電気結線構造を簡単化させることができる。
【００５２】
請求項１１記載の発明にあっては、広い範囲の信号を給電指令信号として利用することができるので、広い範囲の電気製品を給電体として取扱うことができると共に、検出体の構成を自由に設定することが可能であり、その分、給電体に対する給電動作形態を、変化に富んだものとすることができる。
【００５３】
請求項１２記載の発明にあっては、複数のパネル電極を一つのセレクタに共通接続させるので、パネル全体で使用されるセレクタの数を大幅に少なくすることができ、これによりパネルを構成する際の、セレクタに要する経費を大幅に低減させることができる。
【００５４】
請求項１３記載の発明にあっては、隣接配列されてパネルを構成する多数のパネルユニットを、全く同じ構造とすることができるので、単一構造のパネルユニットによりパネルを構成することができ、これによりパネルを、経済的にかつ効率良く構築することができる。
【発明を実施するための最良の形態】
【００５５】
以下、本発明の好ましい実施態様を、図面を参照しながら説明する。
図１は、本発明におけるパネル１の基本構造の一実施形態例を示すもので、多数のパネル電極４は、隣り合った一対のパネル電極４を、セレクタ５を介して屋内配線１４に接続している。
【００５６】
セレクタ５は、給電体１８からの給電指令信号を受信する検出体１１からの切替え指令信号を受け入れて、第１スイッチ８により一方電極４ａの屋内配線１４への断続接続を行い、第２スイッチ９により他方電極４ｂの屋内配線１４への断続接続を行うスイッチ部７を有している。
【００５７】
セレクタ５のスイッチ部７の第１スイッチ８は、一方電極４ａを、屋内配線１４の一方の極性の配線に断続接続可能とし、スイッチ部７の第２スイッチ９は、他方電極４ｂを、屋内配線１４の他方の極性の配線に断続接続可能としている。
【００５８】
検出体１１は、給電体１８からの給電指令信号を検出もしくは受信し、その結果を、セレクタ５に切替え指令信号として出力する。
【００５９】
なお、図６に例示した給電体１８は、モータ、カメラ、センサー等の負荷１９と、この負荷１９の動作とか電力供給を制御する制御部２０と、供給された電力の一部を蓄えた蓄電部２１と、供給された電力を負荷１９に適合させる整流部２２と、給電指令信号を放射する給電指令信号発生部２３と、少なくとの一対の給電電極２４を備えた、脚部もしくは走行用の車輪である給電電極体２５とから構成されている。
【００６０】
図２は、本発明におけるパネル１の外観を示す斜視図で、パネル１のパネル面３に、良導電材料製の多数のパネル電極４を、一定のルールに基づいて繰り返し配列し、各パネル電極４のパネル面３における露出面積は、後述する給電対象物である給電体１８の給電電極２４との、安定して確実な電気的接触を得ることができる範囲で、できる限り小さく設定されている。
【００６１】
図３〜図６は、多数のパネル電極４の、一定のルールに基づいた繰り返し配列の代表的な例を示すもので、図３は、パネル電極４を、正方形の各頂点に位置させて、繰り返し配列した例を、図４は、パネル電極４を、短辺と長辺とを有する長方形の各頂点に位置させて、繰り返し配列した例を、図５は、パネル電極４を、ひし形の各頂点に位置させて、繰り返し配列した例を、そして図６は、パネル電極４を、正六角形の各頂点に位置させて、繰り返し配列した例を、夫々示している。
【００６２】
上記した形状配列を一定ルールとして隣り合ったパネル電極４は、その一方が一方電極４ａに、そして他方が他方電極４ｂに設定され、これにより多数のパネル電極４は、一方電極４ａのグループと他方電極４ｂのグループに分けられている。
【００６３】
図３の実施形態にあっては、パネル電極４の配列形態の設定が簡単であり、またパネル面３に対する多数のパネル電極４の分布が、充分に均等なものなる。
【００６４】
図４の実施形態にあっては、パネル電極４の配列形態の設定が簡単であり、また長方形の短辺と長辺に沿った、隣り合ったパネル電極４の間隔が異なることから、給電体１８に対する給電が確実に達成できる方向と、達成し難い方向とが生じ、これによりパネル面３における給電体１８の姿勢、配列方向、さらには移動方向が略特定されて、自然と整えられることになる。
【００６５】
図５の実施形態にあっては、パネル電極４の配列を、図５（ａ）に示す、ひし形の各頂点に位置させた繰り返し配列とすべく、図５（ｂ）に示すように、ひし形形状に繰り返し配列された壁片に、ひし形の短い対角線を形成する壁片を連結してコア材を構成し、これによりきわめて機械的強度の高いコア材を得ることができ、このコア材の各ひし形の頂点にパネル電極４を設けることにより、軽量で機械的強度に優れたパネル１となる。
【００６６】
そして、図６の実施形態にあっては、図５図示実施形態と同様に、ハニカムコアをコア材としてパネル１を構成することができるので、構成されたパネル１は、軽量で機械的強度に優れたものとなり、またパネル電極４を一定間隔で配置する条件下で、使用されるパネル電極４の数が少ないものとなる。
【００６７】
図７は、本発明の好ましい実施形態の具体的な構成例を示すもので、多数のパネル電極４は、隣り合った一対のパネル電極４を、セレクタ５を介して屋内配線１４に接続しており、屋内配線１４は、第１交流電力線１５ａと第２交流電力線１５ｂとにより単相２線交流電源ラインを形成し、直流電力線１５ｃとグランド線１６とにより直流電源ラインを形成している。
【００６８】
セレクタ５は、給電体１８からの給電指令信号を受信する検出体１１からの切替え指令信号を受け入れて解読するデコーダである解読部６と、切替え指令信号を解読して得られる解読部６からの解読信号に従って、第１スイッチ８により一方電極４ａの屋内配線１４への断続接続を行い、第２スイッチ９により他方電極４ｂの屋内配線１４への断続接続を行うスイッチ部７と、過電流保護素子１０とから構成されている。
【００６９】
セレクタ５のスイッチ部７の第１スイッチ８は、一方電極４ａを、第１交流電力線１５ａ、直流電力線１５ｃ、グランド線１６のいずれか一つに断続接続可能とし、スイッチ部７の第２スイッチ９は、他方電極４ｂを、第２交流電力線１５ｂ、グランド線１６のいずれか一つに断続接続可能としている。
【００７０】
この図７に示した実施形態例において、解読部６は、自己保持機能を有しており、給電指令信号を受信している間、もしくは予め設定された時間の間、さらには専用の解除指令を受けるまで、第１スイッチ８および第２スイッチ９のスイッチ切替え状態を保持し、またこの解読部６で、第１スイッチ８、第２スイッチ９の出力端や、過電流保護素子１０の出力端の電圧をモニタすることにより、異常時に、その情報を知らせることが可能であり、さらにこの解読部６により、無線ＬＡＮを起動させることも可能である。
【００７１】
また、過電流保護素子１０は、過電流の通過を阻止してスイッチ部７を保護するものであるが、この過電流保護素子１０としては、ヒユーズ型のものを使用してもよいし、アクティブ型の機能復帰可能なものを使用してもよい。
【００７２】
検出体１１は、給電体１８からの、電磁波、磁場、電界、振動、光、音波さらには電流等の給電指令信号を検出もしくは受信する検出部１２と、検出部１２で受信した給電指令信号を解析して切替え指令信号に変換して、セレクタ５に送出す解析部１３とから構成されている。
【００７３】
この検出体１１は、各セレクタ５に設けた場合、給電体１８からの給電指令信号は、電磁波、磁場、電界、振動さらには電流等が適しており、図９および図１０に示したように、独立して設けられた場合、検出体１１からの切替え指令信号を、専用の信号線１７を介して目的とするセレクタ５に伝えるようにし、給電体１８からの給電指令信号は、電磁波、光さらには音波等が適している。
【００７４】
図９および図１０に示した検出体１１の構成例の場合、パネル１上を自走移動する給電体１８からの給電指令信号が、電磁波である場合は、図９に示すように、パネル１の側近に設けられた検出体１１の検出部１２をアンテナで構成し、給電指令信号が、光である場合は、図１０に示すように、検出部１２を、給電体１８を画像として受信するカメラで構成しで受信し、この受信した給電指令信号を解析部１３で解析して、給電体１８の位置、すなわち切替え指令信号を受信すべきセレクタ５を定めると共に、給電体１８が要求している電力を指定する切替え指令信号を信号線１７に送出す。
【００７５】
図８は、第１スイッチ８および第２スイッチ９の接点切替え構成例を示すもので、図８の（ａ）および（ｂ）の上側の表は、インプットされた切替え指令信号の内容に従った、スイッチ動作状態を示している。
【００７６】
図１１は、隣り合っている所望数のパネル電極４の集まりを区画してパネルユニット２を構成した一例を示すもので、正方形の各頂点に位置したパネル電極４を繰り返し配列した構成において、行と列に４個隣り合った、合計１６個のパネル電極４でパネルユニット２を構成しており、各パネルユニット２は、行と列のパネル電極４の数が偶数で同数であるので、同じ構造となっており、それゆえ各パネルユニット２を、向きを揃えて配列するだけで、図１１に示すように、パネル１全体で、一方電極４ａと他方電極４ｂとを交互に行列配列させることができることになる。
【００７７】
図１２は、図１１に示したパネルユニット２のパネル電極４の一つの列における、各パネル電極４の屋内配線１４に対する接続構成例を示すもので、二つの一方電極４ａが一つの第１スイッチ８に、同じく二つの他方電極４ｂが一つの第２スイッチ９に共通接続されている状態を示しているが、この各パネル電極４のセレクタ５に対する共通接続は、パネルユニット２におけるパネル電極４の他の列においても全く同じであるので、図１１に示した一つのパネルユニット２においては、図１４に示すように、８個の一方電極４ａと８個の他方電極４ｂとが一つのセレクタ５に共通接続されることになる。
【００７８】
この図１２に示した実施形態例において、検出体１１は、外部出力端子付きＲＦ−ＩＤタグで構成されており、この図１２の実施形態例にあっては、パネル面３を形成する材料を、高周波電磁誘導を妨げない材質のものとする。
【００７９】
検出体１１を構成するＲＦ−ＩＤタグは、給電体１８の給電指令信号発生部２３を構成するリーダ・ライタからの、給電指令信号である高周波電磁波信号を受信できるアンテナである検出部１２を有し、この受信した給電指令信号の内容を、ＩＣチップである解析部１３で判断して、切替え指令信号としてセレクタ５に出力するが、具体的には、切替え指令信号は、給電指令信号の内容を２ビット指定（４ケースの指定が可能）することができる。
【００８０】
なお、図１２に示した実施形態例においても、個々のセレクタ５に検出体１１を組付けるのではなく、図９および図１０に示すように、一つの検出体１１からの切替え指令信号を、信号線１７を介して、目的とするセレクタ５に選別送信するようにしても良い。
【００８１】
個々のセレクタ５に組付けられる検出体１１として、ＲＦ−ＩＤタグを利用する場合には、このＲＦ−ＩＤタグを、図１３の平面図に示す形態で、各パネルユニット２に取付けるのが良い。
【図面の簡単な説明】
【００８２】
【図１】本発明の基本的な電気結線の実施形態例を示す、説明図である。
【図２】本発明の一実施形態例を示す、パネルの外観斜視図である。
【図３】パネル電極の第一の配列形態例を示す、部分平面図である。
【図４】パネル電極の第二の配列形態例を示す、部分平面図である。
【図５】パネル電極の第三の配列形態例を示す、部分平面図である。
【図６】パネル電極の第四の配列形態例を示す、部分平面図である。
【図７】本発明の好ましい電気結線の実施形態例を示す、説明図である。
【図８】図７のスイッチ部の構成、動作形態を示す、説明図である。
【図９】信号線を用いる場合の検出体の第一の構成例を示す、説明図である。
【図１０】信号線を用いる場合の検出体の第二の構成例を示す、説明図である。
【図１１】本発明の一実施形態例のパネルユニットの組合せを示す、平面図である。
【図１２】図１１のパネル電極とセレクタとの関係例を示す、電気結線図である。
【図１３】図１２の実施形態における検出体の配列を示す、平面図である。
【図１４】図１１のパネルユニットにおける、電気結線要領図である。
【符号の説明】
【００８３】
１    ；  パネル
２    ；  パネルユニット
３    ；  パネル面
４    ；  パネル電極
４ａ  ；  一方電極
４ｂ  ；  他方電極
５    ；  セレクタ
６    ；  解読部
７    ；  スイッチ部
８    ；  第１スイッチ
９    ；  第２スイッチ
１０  ；  過電流保護素子
１１  ；  検出体
１２  ；  検出部
１３  ；  解析部
１４  ；  屋内配線
１５ａ；  第１交流電力線
１５ｂ；  第２交流電力線
１５ｃ；  直流電力線
１６  ；  グランド線
１７  ；  信号線
１８  ；  給電体
１９  ；  負荷
２０  ；  制御部
２１  ；  蓄電部
２２  ；  整流部
２３  ；  給電指令信号発生部
２４  ；  給電電極
２５  ；  給電電極体
【図１】
2007006586.tif 000003
【図２】
2007006586.tif 000004
【図３】
2007006586.tif 000005
【図４】
2007006586.tif 000006
【図５】
2007006586.tif 000007
【図６】
2007006586.tif 000008
【図７】
2007006586.tif 000009
【図８】
2007006586.tif 000010
【図９】
2007006586.tif 000011
【図１０】
2007006586.tif 000012
【図１１】
2007006586.tif 000013
【図１２】
2007006586.tif 000014
【図１３】
2007006586.tif 000015
【図１４】
2007006586.tif 000016